(57)【要約】【課題】階層型メニューにおいて、各階層の透過度や表示色を変更して選択項目を表示することにより、視認性及び操作性を高める。【解決手段】入力部１０８にて、メニュー表示指示が行われた場合、制御部１０５は、メモリ１０７に記憶されたメニュー項目のデータを取得し、表示処理部１０６にて適切な表示形態に変換する。その後、透過処理部１０９は階層毎に透過度又は表示色を変更し、出力部１０４を介して、メニュー項目を示す信号をモニタ２００に出力する。例えば、選択済みの階層が透過度７０％で表示され、現在選択中の階層が非透過で表示され、現在選択中の項目に対応した次の階層が透過度２０％で表示される。【選択図】図１
2010257290.tif 000002
【特許請求の範囲】
【請求項１】
階層型の表示機能を有する選択項目の表示装置であって、
階層型の表示領域を構成する複数の階層を同一の画面に表示し、各階層に対して異なる透過度を設定して表示させるように制御する制御手段を備えたことを特徴とする表示装置。
【請求項２】
前記制御手段は、選択済みの階層、選択中の階層、及び選択中の項目に対応する次の階層を同一の画面にてそれぞれ異なる透過度で表示させるように制御することを特徴とする、請求項１に記載の表示装置。
【請求項３】
前記制御手段は、複数の階層を重畳して表示させるように制御することを特徴とする、請求項１又は２に記載の表示装置。
【請求項４】
前記制御手段は、透過度が変更された選択済みの階層にて、選択された項目の表示色を、選択されなかった項目の表示色とは異なる色に変更して表示させるように制御することを特徴とする、請求項１から３のいずれか１項に記載の表示装置。
【請求項５】
階層型の表示機能を有する選択項目の表示装置であって、
階層型の表示領域を構成する複数の階層を同一の画面に表示し、各階層に対して異なる表示色を設定して表示させるように制御する制御手段を備えたことを特徴とする表示装置。
【請求項６】
前記制御手段は、選択済みの階層、現在選択中の階層、及び選択中の項目に対応する階層をそれぞれ重畳して表示させるように制御することを特徴とする請求項５に記載の表示装置。
【請求項７】
周囲の照度を検出する照度検出手段を備え、
前記制御手段は、前記照度検出手段による検出結果が予め定められた範囲内であるか否かを判定し、照度の検出結果が範囲外であって明るいと判定された場合には前記階層の表示に係る透過度を下げ、照度の検出結果が範囲外であって暗いと判定された場合には前記階層の表示に係る透過度を上げるように制御することを特徴とする、請求項１から４のいずれか１項に記載の表示装置。
【請求項８】
階層型の表示形態による選択項目の表示方法であって、
階層型の表示領域を構成する複数の階層を同一の画面に表示し、各階層に対して異なる透過度又は表示色を設定して表示させることを特徴とする表示方法。
【発明の詳細な説明】
【技術分野】
【０００１】
本発明は、階層型メニューを用いて表示部に選択項目を表示する表示装置及び表示方法に関する。
【背景技術】
【０００２】
デジタルテレビジョン装置等の情報機器において、ユーザ操作により各種の機能を選択して実行する場合、各機能がメニュー項目として画面に表示される。操作手段を用いた選択及び決定の操作により、所望の機能が実行されるが、このようなメニューの従来例として、複数の階層からなる階層型メニューが知られている。この場合、例えば第１階層の項目を決定した状態でのメニュー表示を行う際、現在選択中の下位層（第２階層）だけを表示したのでは、選択の履歴（第１階層）が表示されないので使い難い。そこで特許文献１に示す技術では、第１階層と第２階層を同じ画面に表示し、第１階層での選択時に、第１階層で選択されなかった項目を薄く表示し、第２階層での選択時に、さらに下位層の第３階層を別の画面に表示している。
【先行技術文献】
【特許文献】
【０００３】
【特許文献１】特開２００３−１０８２８０号公報
【発明の概要】
【発明が解決しようとする課題】
【０００４】
上述した技術では、第２階層以降でのメニュー選択時に、現在選択中の項目に対応した次の階層が分からない。このため、次の階層においてユーザが意図していた項目が見つからない場合、前の階層を再度表示させるために操作を行う必要がある。また上述の技術では、第２階層における項目の選択時には、選択されなかった第１階層の項目を薄く表示することで、第１階層と第２階層が明確に表示される。しかし、第３階層以降の項目を選択する場合、選択済みの階層及び現在選択中の項目に係る次階層の項目が表示されないので、選択の経緯が分からず、ユーザが困惑する虞がある。
【０００５】
そこで、本発明の目的は、複数の階層を同じ画面に表示し、各階層の透過度や表示色を変化させて項目を表示することにより、視認性及び操作性に優れた表示装置及び表示方法を提供することにある。
【課題を解決するための手段】
【０００６】
上述した課題を解決するために、本発明は、階層型の表示機能を有する選択項目の表示装置であって、階層型の表示領域を構成する複数の階層を同一の画面に表示し、各階層に対して異なる透過度を設定して表示させるように制御する制御手段を備える。
【発明の効果】
【０００７】
本発明によれば、複数の階層に属する項目を視覚的に瞬時に判断することが容易となり、ユーザの操作性を高めることができる。
【図面の簡単な説明】
【０００８】
【図１】本発明の一実施形態に係る放送受信装置の構成例を示すブロック図である。
【図２】本発明の第１実施形態における動作例を示すフローチャートである。
【図３】図２に関連するメニュー表示例を示す図である。
【図４】第１実施形態において、第１階層の選択項目の変更指示を行った際の動作例を示すフローチャートである。
【図５】図４に関連するメニュー表示例を示す図である。
【図６】第１実施形態において、第１階層の選択項目の決定指示を行った際の動作例を示すフローチャートである。
【図７】図７に関連するメニュー表示例を示す図である。
【図８】本発明の第２実施形態において、第１階層の選択項目の決定指示を行った際の動作例を示すフローチャートである。
【図９】図８に関連するメニュー表示例を示す図である。
【図１０】第２実施形態の変形例におけるメニュー表示を例示した図である。
【図１１】本発明の第３実施形態に係る放送受信装置の構成例を示すブロック図である。
【図１２】本発明の第３実施形態における動作例を示すフローチャートである。
【発明を実施するための形態】
【０００９】
図１は、本発明を適用した放送受信装置の構成例を示すブロック図である。放送受信装置１００は、チューナ１０１にて放送信号を受信する。受信した放送信号に関して、信号処理部１０２はチャンネル選局や復調処理等を行い、映像データ、音声データ等が分離及び抽出される。抽出した映像データはデコード部１０３にてデコード処理された後、出力部１０４に供給され、モニタ２００にて表示する。また音声データは、デコード部１０３にてデコード処理された後、出力部１０４に供給され、図示しないスピーカ等の音声出力手段によって出力される。これらの処理は、ＣＰＵ（中央演算処理装置）等を用いた制御部１０５の制御指示に従って行われる。
【００１０】
入力部１０８は、ユーザ操作による指示を受けて制御部１０５に伝達する。メニュー表示指示が行われた場合、制御部１０５は、メモリ１０７内に記憶されたメニュー項目の表示用データを取得する。該データは表示処理部１０６にて表示形態に適した信号に処理され、透過処理部１０９にて画面表示に係る透過度が変更された後、出力部１０４を介してモニタ２００に出力される。ここで「透過度」とは項目や領域が透けて表示される度合いを表し、例えば百分率で表現することができる（０％で非透過）。
【００１１】
次に図２及び図３を用いて、階層型の表示機能をもつ放送受信装置１００におけるメニューの初期表示動作を説明する。図２はユーザがメニュー表示指示を行った際の、放送受信装置１００の動作例を示すフローチャートである。また図３は表示画面において複数の階層を含む表示領域の一例を示しており、第１階層の項目１乃至５とともに、項目１に関連する第２階層の項目１−１乃至５が表示された様子を示す。
【００１２】
先ず、リモートコントローラ等を用いたユーザ操作によってメニュー表示指示が入力部１０８を介して制御部１０５に通知される（Ｓ２０１）。制御部１０５は、メモリ１０７に予め保存されているメニュー項目の表示用データから、第１階層に係るメニュー項目のデータを取得する（Ｓ２０２）。該データは表示処理部１０６に送られて適切な表示形態に変換され、出力部１０４を介してモニタ２００に出力される（Ｓ２０３）。第１階層のメニュー項目は、透過処理部１０９によって規定される透過度で表示され、例えば非透過の状態でメニュー項目１乃至５がモニタ２００に表示される。
【００１３】
制御部１０５は、メモリ１０７に予め保存されているメニュー項目の表示用データから、第１階層の初期選択項目について次の階層（第２階層）があるか否かを判定する（Ｓ２０４）。その結果、第１階層の初期選択項目について第２階層が存在する場合、Ｓ２０５に進む。また該第２階層が存在しない場合には処理が終了する。
【００１４】
Ｓ２０５にて制御部１０５は、前記第２階層に係るメニュー項目の表示用データをメモリ１０７から取得する。該データは表示処理部１０６にて適切な表示形態に変換された後、透過処理部１０９にて透過度が所定値、例えば２０％に変更される。そして第２階層に係るメニュー項目を示す信号が出力部１０４を介してモニタ２００に出力される（Ｓ２０６）。
【００１５】
図３は、第１階層のメニュー項目がメニューアイテム３０１〜３０５として非透過で表示された状態を示す。このとき、第１階層の初期選択項目はメニューアイテム３０１であり、図には選択状態を太枠線で区別して示している。そして第１階層の初期選択項目に関する第２階層のメニュー項目がメニューアイテム３０６〜３１０として透過度２０％で表示される。このとき、メニューアイテム３０６〜３１０は、階層構造をユーザが容易に把握できるように第１階層のメニュー項目に重畳して表示される。なお、メニューアイテム３０６〜３１０について、それらが透過度２０％で表示されることを図示上では横線で表している。
【００１６】
次に図４及び図５を用いて、放送受信装置１００におけるメニュー表示に関して第１階層の選択項目を変更した場合の動作を説明する。図４は、ユーザ操作によって第１階層の選択項目について変更指示を行った際の、放送受信装置１００の動作例を示すフローチャートである。また図５は表示画面の一例を示しており、第１階層の項目１乃至５とともに、項目２に関連する第２階層の項目２−１乃至５が表示された様子を示す。
【００１７】
リモートコントローラ等を用いたユーザ操作による選択項目の変更指示が入力部１０８を介して制御部１０５に通知される（Ｓ４０１）。制御部１０５は、第１階層の選択項目を変更する。図５では第１階層の項目２への変更を太枠線で示している。変更されたデータは表示処理部１０６での適切な表示形態へと変換された後、第１階層のメニュー項目を示す信号が出力部１０４を介してモニタ２００に出力される（Ｓ４０２）。
【００１８】
制御部１０５は、メモリ１０７に予め保存されているメニュー項目の表示用データに基づいて、変更後の第１階層の選択項目に関して次の階層（第２階層）があるか否かを判定する（Ｓ４０３）。その結果、第１階層の選択項目に関して第２階層が存在する場合、Ｓ４０４に進む。また該第２階層が存在しない場合には処理が終了する。
【００１９】
Ｓ４０４では制御部１０５が第２階層に係るメニュー項目の表示用データをメモリ１０７から取得する（Ｓ４０４）。該データは、表示処理部１０６にて適切な表示形態に変換された後、透過処理部１０９にて透過度が所定値、例えば２０％に変更される。第２階層のメニュー項目を示す信号は出力部１０４を介してモニタ２００に出力される（Ｓ４０５）。
【００２０】
図５の例では、第１階層のメニュー項目がメニューアイテム３０１〜３０５として表示され、選択された項目がメニューアイテム３０２であることを太枠線で示している。第１階層で選択されたメニュー項目に対応した第２階層のメニュー項目はメニューアイテム３０６〜３１０として透過度２０％で表示される（図には横線で示す）。メニューアイテム３０６〜３１０は、階層構造をユーザが容易に把握できるように第１階層のメニュー項目に重畳して表示される。
【００２１】
次に図６及び図７を用いて、放送受信装置１００におけるメニュー表示に関して第１階層の選択項目を決定した場合の動作を説明する。図６は、ユーザが第１階層の選択項目を決定する指示を行った際の、放送受信装置１００の動作例を示すフローチャートである。また図７は表示画面の一例を示しており、第１階層に係る項目１乃至５、第２階層に係る項目２−１乃至５、第３階層に係る項目２−１−１乃至５が表示された様子を示す。
【００２２】
リモートコントローラ等を用いたユーザ操作による選択項目の決定指示が入力部１０８を介して制御部１０５に通知される（Ｓ６０１）。制御部１０５は、第1階層に係るメニュー項目のデータを、表示処理部１０６にて適切な表示形態に変換するように指示した後、透過処理部１０９にて透過度を所定値、例えば７０％に変更するように指示する。第１階層のメニュー項目を示す信号は出力部１０４を介してモニタ２００に出力される（Ｓ６０２）。
【００２３】
制御部１０５は、第２階層に係るメニュー項目のデータを、表示処理部１０６にて適切な表示形態に変換するように指示した後、透過処理部１０９にて透過度をゼロ、つまり非透過に変更するように指示する。第２階層のメニュー項目を示す信号は出力部１０４を介してモニタ２００に出力され、メニュー項目が非透過で表示される（Ｓ６０３）。
【００２４】
制御部１０５は、メモリ１０７に予め保存されているメニュー項目の表示用データに基づいて、第２階層の初期選択項目について次の階層（第３階層）があるか否かを判定する（Ｓ６０４）。第２階層の初期選択項目について第３階層が存在する場合、Ｓ６０５に進む。該第３階層が存在しない場合には処理が終了する。
【００２５】
Ｓ６０５にて制御部１０５は第３階層に係るメニュー項目の表示用データをメモリ１０７から取得する。該データは表示処理部１０６にて適切な表示形態に変換された後、透過処理部１０９にて透過度が所定値、例えば２０％に変更される。第３階層のメニュー項目を示す信号が出力部１０４を介してモニタ２００に出力されて画面に表示される（Ｓ６０６）。
【００２６】
図７の例では、第１階層のメニュー項目がメニューアイテム３０１〜３０５として透過度７０％で表示される。このとき、第１階層にて決定した項目を符号３０２で示しており、決定状態を点線の太枠で囲んで示す。なお、メニューアイテム３０１〜３０５が透過度７０％で表示されている状態を図示上では縦線で示す。
【００２７】
第１階層で決定されたメニュー項目に対応した第２階層のメニュー項目は、メニューアイテム３０６〜３１０として非透過で表示され、これらは階層構造をユーザが容易に把握できるように第１階層に重畳して表示される。このとき、第２階層の選択項目を符号３０６で示しており、選択状態を太枠線で囲んで示す。第２階層で選択されたメニュー項目に対応した第３階層のメニュー項目は、メニューアイテム３１１〜３１５として透過度２０％で表示される（図には横線で示す）。これらは階層構造をユーザが容易に把握できるように、第２階層のメニュー項目に重畳して表示される。
【００２８】
これ以降は同様にして、次の階層のメニュー項目を選択する動作及び決定動作が行われる度に、各階層がそれぞれ異なる透過度で画面に表示される。例えば、選択済みの階層が透過度７０％で表示され、現在選択中の階層が非透過で表示され、現在選択中の項目に対応した次の階層が存在する場合に、次の階層が透過度２０％で表示される。なお現在選択中の項目に対応した次の階層が存在しない場合には、これが表示されないのでユーザは最終階層であることを直ちに把握できる。
【００２９】
以上、本実施形態によれば、階層型メニューにおいて、選択済みの第１階層、現在選択中の第２階層、及び選択中の第２階層に属する項目の次階層である第３階層を同じ画面領域にて階層毎に異なる透過度で表示する。例えば、前記実施形態では、現在選択中の階層については非透過で表示させ、選択中の項目に対応する次の階層については、現在選択中の階層よりは薄く表示させる（透過度２０％）。そして選択済みの階層については現在選択中の項目の次の階層に比べてさらに薄く表示させる（透過度７０％）。これにより選択済みの階層、現在選択中の階層、選択中の項目に対応する次の階層を含めた３つの階層のメニュー項目を、ユーザが瞬時かつ容易に把握することできる。従ってユーザの操作性が高まる。
【００３０】
なお、本実施形態（第１実施形態）において、各階層の透過度７０％、２０％はあくまで例示に過ぎず、各階層をそれぞれ視覚的に区別できる透過度であれば値の如何は問わない。前記の例では選択済みの階層の透過度を全て７０％で表示しているが、これに限らず、選択済みの階層における透過度をそれぞれ変更して表示してもよい。例えば、現在第３階層の選択中である場合、第１階層及び第２階層が選択済みの階層となる。この場合、第１階層及び第２階層の透過度を７０％と一律に規定する必要はなく、第１階層の透過度を８０％とし、第２階層の透過度を７０％としてもよい。つまり選択中の項目に対応する次の階層を区別可能な範囲内において、選択済みの階層の透過度を変更して表示することが好ましい。これにより、選択済みの階層については、透過度の違いにより、ユーザが階層順序を視覚的に判断し易くなる。
【００３１】
また各階層を重畳して表示する実施形態に限らず、各階層を隣接して表示してもよい。また各階層の表示サイズについては特に言及していないが、選択済みの階層、現在選択中の階層、選択中の項目に対応する次に階層について、それぞれの表示領域の大きさが異なるようにサイズを変更しても構わない。
【００３２】
次に、本発明の第２実施形態を説明する。前記第１実施形態では、階層型メニューにおいて各階層の透過度をそれぞれ変化させて表示を行った。これに対し、第２実施形態では、透過度が変更された選択済みの階層において、選択済みの項目と選択されなかった項目の色を変更して表示する。なおメニューの初期表示動作については第１実施形態の場合と同様であるので、その詳細な説明を省略する。
【００３３】
図８は、ユーザが第１階層での選択項目の決定指示を行った際の、放送受信装置１００の動作例を示すフローチャートである。また、図９は表示画面の一例を示しており、第１階層に係る項目１乃至５、第２階層に係る項目２−１乃至５、第３階層に係る項目２−１−１乃至５が表示されている。
【００３４】
リモートコントローラ等を用いたユーザ操作による選択項目の決定指示が、入力部１０８を介して制御部１０５に通知される（Ｓ９０１）。制御部１０５は、第１階層に係るメニュー項目のデータを、表示処理部１０６にて適切な表示形態に変換するように指示した後、透過処理部１０９にて透過度を所定値、例えば７０％に変更するように指示する（Ｓ９０２）。その後、表示処理部１０６は第１階層において決定されたメニュー項目の表示色を所定の色に変更する。第１階層のメニュー項目を示す信号は出力部１０４を介してモニタ２００に出力される（Ｓ９０３）。
【００３５】
制御部１０５は、第２階層に係るメニュー項目のデータを、表示処理部１０６にて適切な表示形態に変換するように指示した後、透過処理部１０９にて非透過に変更するように指示する。そして第２階層のメニュー項目を示す信号は出力部１０４を介してモニタ２００に出力されて項目が表示される（Ｓ９０４）。
【００３６】
制御部１０５は、メモリ１０７に予め保存されているメニュー項目の表示用データに基づいて、第２階層の初期選択項目に対応する次の階層（第３階層）があるか否かを判定する（Ｓ９０５）。その結果、第２階層の初期選択項目に対応する第３階層が存在する場合、Ｓ９０６に進む。また、該第３階層が存在しない場合には処理が終了する。
【００３７】
Ｓ９０６にて制御部１０５は第３階層に係るメニュー項目のデータをメモリ１０７から取得する。該データは表示処理部１０６にて適切な表示形態に変換された後、透過処理部１０９にて透過度が所定値、例えば２０％に変更される。第３階層のメニュー項目を示す信号は出力部１０４を介してモニタ２００に出力されて項目が表示される（Ｓ９０７）。
【００３８】
図９の例では、第１階層のメニュー項目がメニューアイテム３０１〜３０５として透過度７０％で表示される（図には縦線で示す）。第１階層での決定項目を符号３０２で示し、これは透過度が７０％であって、かつ色が変更された状態として破線枠内に斜線のハッチングで区別して示している。第１階層で決定されたメニュー項目に対応した第２階層のメニュー項目は、メニューアイテム３０６〜３１０として非透過で表示される。第２階層での選択された項目は太枠線で示すように、メニューアイテム３０６である。第２階層で選択されたメニュー項目に対応した第３階層のメニュー項目は、メニューアイテム３１１〜３１５として透過度２０％で表示される（図には横線で示す）。
【００３９】
以上、第２実施形態によれば、階層型メニューにおいて、選択済みの階層、現在選択中の階層、及び選択中の階層の項目に対応する次の階層を、同じ画面の表示領域上で、異なる透過度や表示色によって区別して表示できる。例えば、選択済みの階層が透過度７０％で表示され、現在選択中の階層が非透過で表示され、選択中の項目に対応する次の階層が透過度２０％で表示され、かつ選択済みの階層における選択項目が、他の項目とは異なる色で表示される。これにより、３つの階層の選択状況を透過度の違いとしてユーザが視覚的に把握でき、しかも透過度を変更した選択済みの階層において、ユーザが選択した項目だけを視覚によって容易に判別できる。従って、ユーザの操作性が高まる。
【００４０】
なお、前記第２実施形態では、選択済みの階層にて選択した項目の表示色を、選択されなかった項目とは異なる色に変更したが、これに限定される訳ではない。変形例として、選択済みの階層、現在選択中の階層、選択中の項目に対応する次の階層の色（明度、彩度、色相）をそれぞれに変更して表示する形態を採用してもよい。なお、この場合のメニュー表示動作については、表示処理部１０６にて色設定を行うため、透過処理部１０９にて透過度の変更処理は行わない。
【００４１】
図１０は、メニュー表示後、ユーザが第１階層での選択項目の決定指示を行った際の表示画面の一例を示す。
図１０では、第１階層のメニュー項目がメニューアイテム３０１〜３０５として所定の色で表示される。第１階層での決定項目については符号３０２のように、決定状態を太枠点線によって囲んで示している。第１階層で決定されたメニュー項目に対応した第２階層のメニュー項目は、メニューアイテム３０６〜３１０として第１階層の場合とは異なる色で表示される。第２階層での選択項目はメニューアイテム３０６であり、選択状態を太枠線によって囲んで示す。第２階層で選択されたメニュー項目に対応した第３階層のメニュー項目は、メニューアイテム３１１〜３１５として第１階層及び第２階層の場合とは異なる色で表示される。
【００４２】
表示処理部１０６は、メニューアイテム３０６〜３１０として表示される現在選択中の階層を、ある基準色で表示する。メニューアイテム３１１〜３１５として表示される、現在選択中の項目に対応した次の階層については、そのメニュー項目が、現在選択中の階層に比べて明度の低い色で表示される（図には斜線で示す）。また、メニューアイテム３０１〜３０５として表示される選択済みの階層については、メニューアイテム３１１〜３１５よりもさらに明度の低い色で表示される（図には斜めの格子線で示す）。
【００４３】
これ以降は同様にして、次の階層のメニュー項目を選択する動作及び決定する動作が行われる度に、各階層のメニュー項目の色が変更される。つまり、現在選択中の階層を、ある基準色で表示した場合、選択中の項目に対応する次の階層のメニュー項目については、現在選択中の階層の表示色よりも明度の低い色で表示する。そして選択済みの階層については、選択中の項目に対応する次の階層の表示色よりもさらに明度の低い色で表示する。これにより３つの階層をユーザが瞬時に視認し易くなり、従ってユーザの操作性が高まる。
【００４４】
なお第１階層での選択項目の決定指示が行われた際の、放送受信装置１００の動作例としては、図８のフローチャートに示す各ステップにおいて、透過度の変更を、表示色の明度の変更に読み替えて適用すればよい。
この他、各階層の表示色の明度に限らず、色相、彩度、あるいはこれらの組み合わせをそれぞれ変更することによって、現在選択中の階層、その上位階層や下位階層をユーザが視覚的に区別できるように構成してもよい。また、選択済みの階層のメニュー項目を全て同一の明度で表示する必要はなく、選択済みの階層における各項目の表示色に関して明度や色相、彩度をそれぞれ変更して表示しても構わない。あるいは第２実施形態と同様に選択及び決定後の項目の色だけを変えてもよい。
【００４５】
次に本発明の第３実施形態を説明する。第１実施形態では、階層型メニューにおいて、各階層の透過度をそれぞれ変更して項目を表示した。このとき、ユーザの視聴環境によっては、透過度を上げて表示した階層の視認性が低下する虞がある。そこで、ユーザの視聴環境における照度が、ある一定の範囲を逸脱した場合、選択中の階層、その上位及び下位の階層について透過度を適切に調整して表示することが望ましい。なお、第３実施形態におけるメニュー表示動作では、表示処理部１０６での処理後に、透過処理部１０９にて透過度の設定処理を行う際、視聴環境の照度に基づいて透過度が変更される。これ以外の事項については、第１実施形態の場合と同様であるため、それらの詳細な説明は省略する。
【００４６】
図１１は、第３実施形態に係る放送受信装置の構成例を示すブロック図である。なお、図１に示した構成との相違点は、周囲の照度を検出するために照度センサ１１０を設けたことである。よって図１の各構成要素と同様の要素については既に用いた符号を付すことで詳細な説明を省略する。
【００４７】
放送受信装置４００において、照度センサ１１０は周囲の照度を検出し、検出結果を制御部１０５に送出する。制御部１０５は、メニュー表示の際又は入力部１０８からメニュー表示の指示を受けた場合、照度センサ１１０から入力された照度検出情報が、閾値によって規定される範囲（許容範囲）外であるか否かを判定する。照度検出情報がこの範囲外であると判定された場合、制御部１０５は表示処理部１０６を介して透過処理部１０９にて、メニューが適切に表示されるように各階層の透過度を変更させる。こうして透過度が調整された各階層のメニュー項目を示す信号は、出力部１０４を介してモニタ２００に出力される。
【００４８】
図１２は、周囲の照度が変化した場合の、放送受信装置４００の動作例を示すフローチャートである。なお左側のフローチャートがメニュー表示の処理（Ｓ１３０３〜Ｓ１３０７）を例示し、右側のフローチャートが照度検出情報の処理（Ｓ１３０１、Ｓ１３０２）を例示しており、これらは並列に処理される。
先ず制御部１０５は、現在の視聴環境の照度検出情報を照度センサ１１０から取得する（Ｓ１３０１）。そして制御部１０５は、現在の照度を示す照度データをメモリ１０７に保存する（Ｓ１３０２）。
【００４９】
その一方で、制御部１０５は現時点でメニュー表示が行われているか否かを判断する（Ｓ１３０３）。その結果、メニューが表示中であると判断された場合、Ｓ１３０４に進み、制御部１０５は、Ｓ１３０２で保存した照度データをメモリ１０７から取得してＳ１３０５に進む。またメニューが非表示の場合には処理が終了する。
【００５０】
Ｓ１３０５にて制御部１０５は、取得した照度データに基づいて現在の視聴環境の照度が、ある閾値によって決められた許容範囲内であるか否かを判定する。その結果、現在の視聴環境の照度が、許容範囲に比して明るい場合、Ｓ１３０６に進む。ここで制御部１０５は表示処理部１０６を介して透過処理部１０９に指示を出してメニュー表示についての透過度を変更し、標準値よりも透過度を下げた状態でメニューを表示させる。また、現在の視聴環境の照度が、許容範囲に比べて暗い場合にはＳ１３０７に進む。ここで制御部１０５は表示処理部１０６を介して透過処理部１０９に指示を出してメニュー表示の透過度を変更し、標準値よりも透過度を上げた状態でメニューを表示させる。
【００５１】
ステップＳ１３０６及びＳ１３０７での処理の後、あるいはＳ１３０５にて現在の視聴環境の照度が許容範囲内であると判定された場合にはＳ１３０３に戻る。
以上、第３実施形態によれば、視聴環境における照度が、一定の範囲外であると判定された場合、各階層の透過度が調整されて適正な状態でメニュー表示が行われる。つまり選択済みの階層、現在選択中の階層、現在選択中の項目に対応した次の階層の透過度を、照度情報に基づいて調整することにより、ユーザの視聴環境に対する適応制御を実現できる。これにより、ユーザのメニュー操作時に、透過表示を行った階層の視認性が著しく低下しないように防止できる。
【符号の説明】
【００５２】
１００  放送受信装置
１０５  制御部
１０６  表示処理部
１０７  メモリ
１０８  入力部
１０９  透過処理部
１１０  照度センサ
２００  モニタ
３０１〜３０５  第1階層のメニューアイテム
３０６〜３１０  第２階層のメニューアイテム
３１１〜３１５  第３階層のメニューアイテム
４００  放送受信装置
【図１】
2010257290.tif 000003
【図２】
2010257290.tif 000004
【図３】
2010257290.tif 000005
【図４】
2010257290.tif 000006
【図５】
2010257290.tif 000007
【図６】
2010257290.tif 000008
【図７】
2010257290.tif 000009
【図８】
2010257290.tif 000010
【図９】
2010257290.tif 000011
【図１０】
2010257290.tif 000012
【図１１】
2010257290.tif 000013
【図１２】
2010257290.tif 000014